(57)【要約】天井扇風機（１００）は、天井に固定されるシャフトと、シャフトに固定されるＤＣモータ（２）と、ＤＣモータ（２）によって回転する羽根と、ＤＣモータ（２）に電力を供給する電源入力部と、ＤＣモータ（２）における電流値を検出する電流検出部（１３）と、ＤＣモータ（２）の回転数を制御する回転数調整部（１５）と、を備える。回転数が所定の回転数未満の場合には、回転数調整部によってＤＣモータ（２）の回転が制御される回転数が所定の回転数以上の場合には、電流値によってＤＣモータ（２）の回転が制御される。
2020021943.tif 000002
【特許請求の範囲】
【請求項１】
天井に固定されるシャフトと、
前記シャフトに固定されるＤＣモータと、
前記ＤＣモータによって回転する羽根と、
商用電源から前記ＤＣモータに電力を供給する電源入力部と、を備え、
前記ＤＣモータにおける電流値を検出する電流検出部と、
前記ＤＣモータの回転数を制御する回転数調整部と、を備え、
前記回転数が所定の回転数未満の場合には、前記回転数調整部によってＤＣモータの回転を制御し、
前記回転数が所定の回転数以上の場合には、電流値によってＤＣモータの回転を制御することを特徴とする天井扇風機。
【請求項２】
前記天井扇風機は、さらに
前記電源入力部に供給される電圧値を検出する電圧検出部と、
前記電圧検出部によって検出された前記電圧値に基づいて、前記ＤＣモータに供給される前記電力値が所定の電力値となるように電流値を補正する電流補正部と、を備え、
前記電流補正部によって補正された電流値によって前記ＤＣモータの回転数を制御することを特徴とする請求項１に記載の天井扇風機。
【請求項３】
天井に固定されるシャフトと、
前記シャフトに固定されるＤＣモータと、
前記ＤＣモータによって回転する羽根と、
商用電源から前記ＤＣモータに電力を供給する電源入力部と、を備え、
前記ＤＣモータにおける電流値を検出する電流検出部と、
前記ＤＣモータの回転数を制御する回転数調整部と、
前記ＤＣモータの前記回転数を変更させる場合において、変更後の前記回転数が、前記電源入力部から前記ＤＣモータに供給される電力値の上限である規定値となる所定数以上になるか否かを判定する回転制御判定部と、
前記回転制御判定部が肯定的な判定を行った場合に、前記電流検出部により検出された前記電流値と変更後の前記回転数に対応する目標電流値とに基づいて、前記回転数調整部に前記ＤＣモータの前記回転数を制御させる電流増減判定部と、を備えることを特徴とする天井扇風機。
【請求項４】
前記天井扇風機は、さらに
前記電源入力部に供給される電圧値を検出する電圧検出部と、
前記電圧検出部によって検出された前記電圧値に基づいて、前記ＤＣモータに供給される前記電力値が前記規定値を超えないように、前記電流増減判定部における前記目標電流値を補正させる電流補正部と、を備え、
前記電流増減判定部は、前記電流検出部により検出された前記電流値と補正された目標電流値との差に基づいて前記回転数調整部に前記ＤＣモータの前記回転数の増減を指示することを特徴とする請求項３に記載の天井扇風機。
【発明の詳細な説明】
【技術分野】
【０００１】
本発明は天井扇風機に関するものである
【背景技術】
【０００２】
従来、モータに取り付けられた羽根の回転を制御する装置として、現在の羽根の回転数を検出し、目標回転数との差分に応じて回転数を調整するものが知られている（例えば特許文献１参照）。【０００３】
以下、一般的な天井扇風機に関して説明する。【０００４】
一般的な天井扇風機は、中心をシャフトで軸支される外転型のＤＣモータと、このＤＣモータに固定される羽根とで構成されている。シャフトには電源入力部が通っており、電源入力部は、ＤＣモータ上部にある回転制御部に商用電源からの電源を供給している。ＤＣモータ上部にある回転制御部は、電源入力部から供給される電源を用いてＤＣモータを回転させる。また、電源は天井扇風機が設置されている付近の壁に取り付けられた壁スイッチを介して供給されている。ＤＣモータが回転することによって天井側から鉛直下方向へ向かって風を供給する。【０００５】
また、図５を用いて一般的な天井扇風機１０００の回転数を調整する方法について説明する。【０００６】
図５は、天井扇風機１０００の回転制御を行うための構成を示したブロック図である。【０００７】
図５に示すように、天井扇風機１０００は、ＤＣモータ１００２、受信部１００７、回転制御部１００５を有する。回転制御部１００５は、リモコン１００６からの所定の回転数で回転させる指示である運転モード信号を、受信部１００７を介して受け、ＤＣモータ１００２の回転を制御する。回転制御部１００５は、ＤＣモータ１００２の回転を制御する回転数一定制御部１００９を備えている。回転数一定制御部１００９は、回転数検出部１０１０と回転数設定部１０１１とを備えている。回転数検出部１０１０は、ＤＣモータ１００２の現在の回転数を検出して、回転数設定部１０１１に出力している。回転数設定部１０１１は、回転数設定部１０１１に設定された回転数と、回転数検出部１０１０から受信したＤＣモータ１００２の現在の回転数とを比較し、回転数差に応じて加減速の指示を回転数調整部１０１５へ出力する。そして、回転数調整部１０１５は、回転数設定部１０１１から出力された加減速の指示に基づいてＤＣモータ１００２の回転数を調整する。
【先行技術文献】
【特許文献】
【０００８】
【特許文献１】国際公開第２０１６／１３６２１９号
【発明の概要】
【０００９】
このように、従来の一般的な天井扇風機では、ＤＣモータの回転数のみを制御する。この場合、天井扇風機の設置環境、例えば天井扇風機と天井との距離によって、ＤＣモータにかかる負荷が異なるため、設置環境毎にＤＣモータに印加される電力が異なってしまう。即ち、設置環境毎にＤＣモータにかかる負荷及び消費電力が異なるため、特に、天井扇風機を最大風量付近で運転させた場合に、ＤＣモータにかかる負荷及び消費電力が規定値を超えてしまう場合がある。
【００１０】
本発明は、設置環境によらず、最大風量付近で運転させた場合にも、モータにかかる負荷及び消費電力の増大を抑制することが可能な天井扇風機を提供することを目的とする。
【００１１】
本発明に係る天井扇風機は、天井に固定されるシャフトと、シャフトに固定されるＤＣモータと、ＤＣモータによって回転する複数の羽根と、商用電源からＤＣモータに電力を供給する電源入力部と、ＤＣモータにおける電流値を検出する電流検出部と、ＤＣモータの回転数を制御する回転数調整部と、を備えるそして、回転数が所定の回転数未満の場合には回転数調整部によってＤＣモータの回転が制御される。また、回転数が所定の回転数以上の場合には、電流値によってＤＣモータの回転が制御される。
【００１２】
本発明によれば、回転数が回転数未満の場合には、回転数調整部によってＤＣモータの回転を制御し、所定の回転数以上の場合には、電流値によってＤＣモータの回転を制御することで、設置環境によらず、最大風量付近で運転させた場合にも消費電力の増大を抑制する。
【図面の簡単な説明】
【００１３】
【図１】図１は、本発明の実施の形態１に係る天井扇風機の概略断面図である。
【図２】図２は、本発明の実施の形態１に係る天井扇風機の制御のブロック図である。
【図３】図３は、本発明の実施の形態２に係る天井扇風機の制御のブロック図である。
【図４】図４は、本発明の実施の形態２に係る天井扇風機の概略回路図である。
【図５】図５は、従来技術に係る天井扇風機の制御のブロック図である。
【発明を実施するための形態】
【００１４】
以下、本発明の実施の形態を図面に基づいて説明する。ただし、以下に示す実施の形態は、本発明の技術思想を具体化するための天井扇風機を例示するものであって、本発明は天井扇風機を以下のものに特定しない。また、請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。
【００１５】
本発明の実施の形態に係る天井扇風機１００は、天井に固定されるシャフト１と、シャフト１に固定されるＤＣモータ２と、ＤＣモータ２によって回転する複数の羽根３と、商用電源１８からＤＣモータ２に電力を供給する電源入力部４と、ＤＣモータ２における電流値を検出する電流検出部１３と、ＤＣモータ２の回転数を制御する回転数調整部１５と、を備える。これにより、回転数が所定の回転数未満の場合には、回転制御部５によってＤＣモータ２の回転を制御し、所定の回転数以上の場合には、電流値によってＤＣモータ２の回転を制御することが可能となる。そのため、設置環境によらず、最大風量付近で運転させた場合にも消費電力を一定に保つことができるという効果を奏する。
【００１６】
また、本発明の他の実施の形態に係る天井扇風機１００ａは、さらに電源入力部４に供給される電圧値を検出する電圧検出部１６と、電圧検出部１６によって検出された電圧値に基づいて、ＤＣモータ２に供給される電力値が所定の電力値となるように電流値を補正する電流補正部１７と、を備える構成としても良い。
【００１７】
これにより、電流補正部１７によって補正された目標電流値によってＤＣモータ２の回転を制御することで、仕向け地の電圧によらず、消費電力を一定に保つことが出来るという効果を奏する。
【００１８】
（実施の形態１）
図１は、実施の形態１に係る天井扇風機１００の概略構成図である。なお、以下では、図１に示すように、天井扇風機１００が天井に設置された状態における上部、即ち天井側を単に「上部」と記載している。また同様に、天井扇風機１００が天井に設置された状態における下部、即ち床側を単に「下部」と記載している。
【００１９】
図１に示すように、本実施の形態における天井扇風機１００は、天井に天井扇風機１００を固定するためのシャフト１を備えている。シャフト１の天井側の端部には、天井と固定するための金具が設けられており、金具によってシャフト１と天井とが固定されている。また、図１に示すように、シャフト１に連結された天井扇風機１００の本体（以下、単に「本体」という）の内部にＤＣモータ２が内蔵され、ＤＣモータ２の回転によって回転する複数の羽根３が本体の下部に設けられている。また、図１に示すように、ＤＣモータ２へ商用電源１８（図４参照）からの電力を供給する電源入力部４は、天井の内部を通り、シャフト１を介して本体内部のＤＣモータ２へ電力を供給している。さらに、ＤＣモータ２の回転数を制御する回転制御部５が本体内部に設けられている。
【００２０】
また、風速を指示するための電子端末装置としてのリモコン６は、ユーザ操作に応じて所定の運転モード信号を発信する。運転モード信号は天井扇風機１００を、ユーザが指示する風速に対応する所定の回転数で回転させる指示である。図１に示すように、天井扇風機１００の下部には受信部７があり、受信部７はリモコン６から発信された運転モード信号を受信する。
【００２１】
図２は、天井扇風機１００の回転制御を行うための構成を示したブロック図である。図２に示すように、天井扇風機１００の回転制御部５は回転制御判定部８、回転数一定制御部９及び電流一定制御部１２を備えている。回転制御判定部８は、リモコン６から受信部７を介して受信した運転モード信号が低回転でＤＣモータ２を回す指示か高回転でＤＣモータ２を回す指示かを判定し、判定結果に応じて回転数一定制御部９と電流一定制御部１２とのいずれかに制御を行わせる。具体的には、運転モード信号が低回転でＤＣモータ２を回す指示であると判定した場合には、回転数一定制御部９に後述する回転数一定制御を行わせる。また、運転モード信号が高回転でＤＣモータ２を回す指示であると判定した場合には、電流一定制御部１２に後述する電流一定制御を行わせる。ここで、ある運転モード信号を、低回転でＤＣモータ２を回す指示と判定するか、高回転でＤＣモータ２を回す指示と判定するかは、ＤＣモータ２の回転数が所定数以上となるか否かにより判定される。この所定数は、例えば天井扇風機１００の消費電力に応じて予め設定されていてもよい。この場合、ある運転モード信号によりＤＣモータ２を回した場合の天井扇風機１００の消費電力が規定値未満になる場合には、低回転でＤＣモータ２を回す指示となるように設定される。また、天井扇風機１００の設置状況によって消費電力が規定値以上になる場合には、高回転でＤＣモータ２を回す指示となるよう設定される。
【００２２】
ここで、回転数一定制御部９は、回転数検出部１０と回転数設定部１１とを備えている。回転数検出部１０は、ＤＣモータ２の現在の回転数を検出して、回転数設定部１１に出力している。回転数設定部１１は、回転数設定部１１に設定された目標回転数と、回転数検出部１０から受信したＤＣモータ２の現在の回転数とを比較し、回転数差に応じて加減速の指示を回転数調整部１５へ出力する。
【００２３】
また、電流一定制御部１２は、電流検出部１３と電流増減判定部１４とを備えている。電流検出部１３は、ＤＣモータ２の現在の出力電流値を検出し、検出した出力電流値の変換値を電流増減判定部１４に出力する。電流増減判定部１４は、電流増減判定部１４に設定された目標電流値と、電流検出部１３から受けた出力電流値とを比較し、目標電流値と出力電流値との差に応じて回転数調整部１５へ加減速の指示を出力する。
【００２４】
回転数調整部１５は、回転数設定部１１及び電流増減判定部１４からの指示を基にＤＣモータ２の回転数の増減を変更する。例えば、現在の回転数が目標回転数と比較して大きい場合及び出力電流値が目標電流値と比較して大きい場合に、回転数調整部１５は回転数を減らすようＤＣモータ２を制御する。また、現在の回転数が目標回転数と比較して小さい場合及び出力電流値が目標電流値と比較して小さい場合に、回転数調整部１５は回転数を増やすようＤＣモータ２を制御する。
【００２５】
本実施の形態の天井扇風機１００の運転について低回転運転と高回転運転とに分けて説明する。
【００２６】
まずは、低回転運転について、図２を用いて説明する。回転制御部５は、低回転運転時にはＤＣモータ２の回転数を一定に保つ制御である回転数一定制御を行なう。回転数一定制御は、回転制御判定部８と回転数一定制御部９（回転数検出部１０及び回転数設定部１１）と回転数調整部１５とが協調して動作することで実現される。
【００２７】
回転数一定制御の詳細について説明する。回転制御部５が低回転運転を選択している場合、即ち、リモコン６から受信部７を介して受信した運転モード信号が低回転でモータを回す指示であると回転制御判定部８が判定した場合に、回転数一定制御部９は回転数一定制御を行なう。回転数設定部１１には運転モードに応じた目標回転数が設定されている。ここで、例えば回転数設定部１１には運転モードに応じた目標回転数が記憶されており、受信部７を介して受信した運転モード信号に基づいて対応する目標回転数が設定される。また、回転数検出部１０は、ＤＣモータ２の現在の回転数を検出する。回転数設定部１１は、回転数検出部１０が検出した回転数と回転数設定部１１に設定されている目標回転数を比較し、回転数差に応じて加減速の指示を回転数調整部１５へ出力する。即ち、現在の回転数が目標回転数より小さければ、回転数設定部１１は回転数調整部１５にモータ出力の増加を指示する。逆に、現在の回転数が目標回転数より大きければ、回転数設定部１１は、回転数調整部１５にモータ出力の減少を指示する。そして、回転数調整部１５によって回転数を調整したＤＣモータ２の回転数を再度、回転数検出部１０が検出し、回転数設定部１１からの指示に基づいて回転数調整部１５がＤＣモータ２の回転数の調整を繰り返すことで回転数を一定に保つ制御が行なわれている。以上の制御を行うことで、回転数一定制御を実現している。
【００２８】
上記の回転数一定制御の課題について、以下に説明する。
【００２９】
天井扇風機１００は、シャフト１の長さを変えることで、床から天井扇風機１００までの距離を設置環境に応じて調整することができる。例えば、シャフト１を短くすることで天井扇風機１００と天井との距離が短くなる。天井扇風機１００と天井との距離が短くなることで、天井扇風機１００の羽根３によって送風される空気の粘性摩擦が増加し、同一の回転数であっても、回転に要する負荷が大きくなり、モータの消費電力も大きくなる。したがって、天井扇風機１００の設置環境によって、モータにかかる負荷が異なるため、設置環境毎にモータに印加される電力が異なっていた。このように、設置環境毎によってはモータにかかる負荷及び消費電力が大きくなる。そのため、特に、天井扇風機１００を最大風量付近で運転させた場合に、ＤＣモータ２にかかる負荷及び消費電力が規定値を超えてしまうという課題を有していた。ここでいう規定値とは、例えばＤＣモータ２にかけることが可能な負荷及び消費電力の上限となる値である。
【００３０】
本発明では、上記の課題を解決するために、設置環境によって、消費電力の規定値を超えるおそれがある高回転時に、天井扇風機１００が電流一定制御を行なうことで、負荷及び消費電力を一定に保つよう制御する。
【００３１】
以下、高回転運転について、図２を用いて説明する。
【００３２】
回転制御部５は、高回転運転時には、ＤＣモータ２に流れる出力電流値を検出し、一定に保つ制御である電流一定制御を行なう。電流一定制御は、回転制御判定部８と電流一定制御部１２（電流検出部１３及び電流増減判定部１４）と回転数調整部１５とが協調して動作することで実現される。
【００３３】
電流一定制御の詳細について説明する。
【００３４】
回転制御部５が高回転運転を選択している場合、即ち、リモコン６から受信部７を介して受信した運転モード信号が高回転でモータを回す指示であると回転制御判定部８が判定した場合に、電流一定制御部１２は電流一定制御を行なう。ここで、電流増減判定部１４には運転モードに応じた目標電流値が設定されている。例えば電流増減判定部１４には運転モードに応じた目標電流値が記憶されており、受信部７を介して受信した運転モードに基づいて対応する目標電流値が設定される。なお、この目標電流値は、上記の消費電力の規定値を超えないように、設定されている。
【００３５】
電流検出部１３は、ＤＣモータ２の現在の電流値を検出する。ここで電流検出部１３の実現方法の一例を以下に説明する。
【００３６】
ＤＣモータ２の出力電流を検出する方法としては、例えば図４に示すようなシャント抵抗２５を用いた方法がある。なお、図４は、実施の形態２に係る天井扇風機１００ａの概略回路図であるが、ＤＣモータ２の出力電流を検出する方法については実施の形態１に係る天井扇風機１００も同様であるため、図４を用いて説明する。
【００３７】
図４に示す抵抗値の低いシャント抵抗２５を電流が流れることにより、シャント抵抗２５の両端に電流に比例した電圧差が発生する。この電圧値を読み取り、オペアンプ２３によって増幅する。増幅した値をマイクロコンピュータ２４で読み取ることでＤＣモータ２の電流値を検出する。
【００３８】
電流増減判定部１４は、電流検出部１３が検出したＤＣモータ２の現在の電流値と電流増減判定部１４に設定されている目標電流値を比較し、その差に応じて加減速の指示を回転数調整部１５に出力する。即ち、現在の電流値が設定された目標電流値より小さければ、電流増減判定部１４は回転数調整部１５にモータ出力の増加を指示する。逆に、現在の電流値が設定された目標電流値より大きければ、電流増減判定部１４は回転数調整部１５にモータ出力の減少を指示する。そして、回転数調整部１５によって回転数を調整したＤＣモータ２の電流値を再度、電流検出部１３が検出し、電流増減判定部１４からの指示に基づいて回転数調整部１５がＤＣモータ２の回転数の調整を繰り返すことで電流値を一定に保つ制御が行なわれている。以上の制御が電流一定制御である。したがって、天井扇風機１００の設置環境によって、モータにかかる負荷及び消費電力が異なる場合であっても、回転制御部５の電流一定制御により、ＤＣモータ２の出力電流を一定に維持し、ＤＣモータ２の消費電力を一定にすることができる。
【００３９】
このように、上記の電流一定制御では、同じ電源電圧である場合において、天井扇風機１００の設置環境、即ち天井扇風機１００と天井との間の距離が異なっていてもＤＣモータ２の負荷及び消費電力を一定にすることができる。
【００４０】
（実施の形態２）
実施の形態１では、電源電圧が一定であることを前提として、ＤＣモータ２に印加される電流を制御することで、設置環境によらず、ＤＣモータ２の消費電力を一定にできる天井扇風機１００を説明した。
【００４１】
しかしながら、電源電圧が一定でない場合、即ち、電源電圧が異なる地域で天井扇風機が使用された場合、ＤＣモータ２に印加される電圧はそれぞれ異なることになる。天井扇風機に異なる電源電圧が印加された場合においては、電流制御のみでは、ＤＣモータ２の負荷及び消費電力を一定にすることが困難である。例えば、マレーシアの電源電圧は２４０Vであり、ベトナムの電源電圧は２２０Vである。したがって、実施の形態１で説明した電流一定制御のみでは、マレーシアの電源電圧２４０Vで使用した場合の方が、ベトナムの電源電圧２２０Vで使用した場合よりも、ＤＣモータ２の消費電力が大きくなってしまう。即ち、電圧が異なる地域それぞれで使用する場合に、ＤＣモータ２に印加される電流のみを制御したのでは、ＤＣモータ２の消費電力を一定にすることができないという課題がある。
【００４２】
そこで、実施の形態２では、ＤＣモータ２に供給される電力を制御することで、電源入力部４に印加される電源電圧が異なる場合においても、ＤＣモータ２における消費電力を一定にすることができる天井扇風機１００ａを説明する。なお、以下では、この制御を電力一定制御という。
【００４３】
電力一定制御とは、実施の形態１で説明した電流一定制御に加え、電源電圧を検出し、電源電圧とＤＣモータ２の出力電流のバランスを一定に保つことで電源電圧に依らず天井扇風機１００ａの消費電力を一定に保つ制御である。
【００４４】
まず、実施の形態２に係る天井扇風機１００ａの構成について、実施の形態１に係る天井扇風機１００と異なる点を中心に図３を用いて説明する。
【００４５】
実施の形態２に係る天井扇風機１００ａは、実施の形態１に係る天井扇風機１００の回転制御部５に代えて、回転制御部５ａを備える。
【００４６】
回転制御部５ａは、実施の形態１に係る電流一定制御部１２に代えて、電力一定制御部１２ａを有する。電力一定制御部１２ａは、回転制御判定部８により運転モード信号が高回転でＤＣモータ２を回す指示であると判定された際に、電力一定制御を行う。電力一定制御部１２ａは、実施の形態１に係る電流検出部１３に加え、電流増減判定部１４ａと電圧検出部１６と電流補正部１７とを有している。
【００４７】
電圧検出部１６は電源入力部４に入力された電源電圧を検出し、電源電圧の変換値を電流補正部１７に出力する。また、電流補正部１７は、電圧検出部１６から出力された電源電圧の変換値を受信し、受信した電源電圧の変換値によって電流増減判定部１４ａに目標電流値を変更するように指示を送る。
【００４８】
電流増減判定部１４ａは、電流補正部１７から受けた指示に基づいて目標電流値を変更する点で、実施の形態１に係る電流増減判定部１４と異なる。電流増減判定部１４ａは、目標電流値（電流補正部１７からの指示があった場合には変更後の目標電流値）と、電流検出部１３から受けた出力電流値とを比較し、目標電流値と出力電流値との差に応じて回転数調整部１５へ加減速の指示を出力する点は、実施の形態１に係る電流増減判定部１４と同様である。回転数調整部１５は、回転数設定部１１及び電流増減判定部１４ａからの指示を基にＤＣモータ２の回転数の増減を変更する。例えば、出力電流値が目標電流値と比較して大きい場合、電流増減判定部１４ａは、回転数調整部１５へ減速の指示を送信する。そして、回転数調整部１５は、回転数を減らすようＤＣモータ２を制御する。また、出力電流値が目標電流値と比較して小さい場合、電流増減判定部１４ａは、回転数調整部１５へ加速の指示を送信する。そして、回転数調整部１５は、回転数を増やすようＤＣモータ２を制御する。
【００４９】
次に、図４を用いて、回転制御部５ａの回路構成を説明する。
【００５０】
図４に示すように、回転制御部５ａは、ダイオードブリッジ２０、ＤＣ電源２１、レギュレータ（ＲＥＧ）２２、オペアンプ２３、マイクロコンピュータ(マイコン)２４、シャント抵抗２５、モータ制御ＩＣ２６を有する。マイクロコンピュータ（マイコン）２４は、各ポートに入力される信号を受信して、ＤＣモータ２を制御する指示を出力する。モータ制御集積回路（ＩＣ）２６は、ＤＣモータ２の回転を制御する。また、モータ制御ＩＣ２６は、ＤＣモータ２の回転数を検出し、マイコン２４に出力する。シャント抵抗２５はＤＣモータ２の出力電流を電圧に変換する。オペアンプ２３は電源電圧とモータ出力電流を受け取ってマイコン２４へ各値を変換して出力する。
【００５１】
なお、図３に示した回転数検出部１０、電流検出部１３、電圧検出部１６は、図４に示したモータ制御ＩＣ２６によってその機能を実現している。また、図３に示した回転数設定部１１、電流増減判定部１４ａ、電流補正部１７は、図４に示したマイコン２４によって、その機能を実現している。
【００５２】
ここで、電源電圧を検出する方法の一例を、図４を用いて説明する。
【００５３】
商用電源１８から入力されたＡＣ電源電圧１９は、ダイオードブリッジ２０によってＤＣ電源２１に変換される。ＤＣモータ２の電源はＤＣ電源２１を用いている。ＤＣ電源２１を、オペアンプ２３を通してマイコン２４で読み取ることで商用電源１８の電圧を検出する。
【００５４】
図３に示すように、この検出した電源電圧値を基にして電流補正部１７は、電力値が一定になるよう電流の補正値を選択し、電流増減判定部１４ａに設定されている目標電流値の補正を行なう。電流の補正値は、例えば、「電力値の規定値／検出した電源電圧値」の値である。電流増減判定部１４ａは、電流検出部１３で検出した現在の電流値と電流増減判定部１４ａに設定されている目標電流値（補正されている場合には補正後の目標電流値）を比較し、その差に応じて加減速の指示を回転数調整部１５に出力する。即ち、現在の電流値が設定された目標電流値より小さければ、電流増減判定部１４ａは、回転数調整部１５にモータ出力の増加を指示する。逆に、現在の電流値が設定された目標電流値より大きければ、電流増減判定部１４ａは回転数調整部１５にモータ出力の減少を指示する。回転数調整部１５によって回転数を調整したＤＣモータ２の電流値を再度、電流検出部１３が検出し、電流増減判定部１４ａからの指示に基づいて回転数調整部１５がＤＣモータ２の回転数の調整を繰り返すことで電流値を一定に保つ制御を行なっている。以上の制御が電力一定制御である。
【００５５】
この電力一定制御により、商用電源１８の電圧が異なる国においてもモータの消費電力を一定に保つことができる。
【産業上の利用可能性】
【００５６】
本発明に係る天井扇風機は、羽根が外乱により影響を受けやすい天井扇風機制御に用いる技術として有用である。
【符号の説明】
【００５７】
１    シャフト
２    ＤＣモータ
３    羽根
４    電源入力部
５、５ａ    回転制御部
６    リモコン
７    受信部
８    回転制御判定部
９    回転数一定制御部
１０    回転数検出部
１１    回転数設定部
１２、１２ａ    電流一定制御部
１３    電流検出部
１４、１４ａ    電流増減判定部
１５    回転数調整部
１６    電圧検出部
１７    電流補正部
１８    商用電源
１９    ＡＣ電源電圧
２０    ダイオードブリッジ
２１    ＤＣ電源
２２    レギュレータ
２３    オペアンプ
２４    マイコン
２５    シャント抵抗
２６    モータ制御ＩＣ
１００、１００ａ、１０００    天井扇風機
１００２    ＤＣモータ
１００５    回転制御部
１００６    リモコン
１００７    受信部
１００９    回転数一定制御部
１０１０    回転数検出部
１０１１    回転数設定部
１０１５    回転数調整部
【図１】
2020021943.tif 000003
【図２】
2020021943.tif 000004
【図３】
2020021943.tif 000005
【図４】
2020021943.tif 000006
【図５】
2020021943.tif 000007
【国際調査報告】
2020021943.tif 000008
2020021943.tif 000009